(57)【特許請求の範囲】
【請求項１】
被検体の心電信号又は脈波信号に基づいて、前記被検体の体動状態を判断する判断手段と、
前記被検体が第１の体動状態のときにｋ空間の低周波領域内のビューのデータを収集し、前記被検体が第２の体動状態のときにｋ空間の第１の高周波領域および第２の高周波領域内のビューのデータを収集するスキャン手段と、
を有する磁気共鳴装置であって、
前記第１の高周波領域は、前記低周波領域に隣接する第１のビューを有し、
前記第２の高周波領域は、前記低周波領域に隣接する第２のビューを有し、
前記低周波領域は、前記第１のビューに隣接する第３のビューと、前記第２のビューに隣接する第４のビューとを有し、
前記スキャン手段は、
前記第１のビューと前記第３のビューとの間のデータ収集の時間差Δｔと、前記第２のビューと前記第４のビューとの間のデータ収集の時間差Δｗが、以下の条件を満たすようにスキャンを実行する、磁気共鳴装置。
Δｔ≦Ｔ
Δｗ≦Ｔ
ただし、Ｔ：心電信号又は脈波信号の周期
【請求項２】
前記スキャン手段は、
前記低周波領域のビューのデータを収集する場合、ｋ空間の中心のビューを収集した後、前記中心のビューに近い順に、正のビューのデータ、負のビューのデータを交互に収集する第１のオーダリングに従って、データを収集し、
前記第１の高周波領域および第２の高周波領域のビューのデータを収集する場合、前記低周波領域から遠い順に、正のビューのデータ、負のビューのデータを交互に収集する第２のオーダリングに従ってデータを収集し、
前記低周波領域の全てのビューのデータが収集された時点で、前記第１のビューおよび前記第２のビューのデータが収集されていない場合、前記条件を満たす第３のオーダリングに従って、前記第１のビューおよび前記第２のビューのデータを収集する、請求項１に記載の磁気共鳴装置。
【請求項３】
前記第１の高周波領域は、前記低周波領域の全てのビューのデータが収集された時点で、データが収集されていない第１のデータ未収集領域を有しており、
前記第２の高周波領域は、前記低周波領域の全てのビューのデータが収集された時点で、データが収集されていない第２のデータ未収集領域を有しており、
前記スキャン手段は、
前記第３のオーダリングでは、以下のステップＳ１〜Ｓ４を繰り返すことにより、データを収集する、請求項２に記載の磁気共鳴装置。
（ステップＳ１）前記第１のデータ未収集領域に含まれるビューの中で、前記低周波領域に最も近いビューのデータを収集する。
（ステップＳ２）前記第１のデータ未収集領域に含まれるビューの中で、前記低周波領域から最も遠いビューのデータを収集する。
（ステップＳ３）前記第２のデータ未収集領域に含まれるビューの中で、前記低周波領域に最も近いビューのデータを収集する。
（ステップＳ４）前記第２のデータ未収集領域に含まれるビューの中で、前記低周波領域から最も遠いビューのデータを収集する。
【請求項４】
前記第３のオーダリングでは、前記第２の体動状態のときだけでなく、前記第１の体動状態のときにも、前記第１の高周波領域および第２の高周波領域内のビューのデータを収集する、請求項２又は３に記載の磁気共鳴装置。
【請求項５】
前記スキャン手段は、
前記低周波領域のビューのデータを収集する場合、ｋ空間の中心のビューを収集した後、前記中心のビューに近い順に、正のビューのデータ、負のビューのデータを交互に収集する第１のオーダリングに従って、データを収集し、
前記第１の高周波領域および第２の高周波領域のビューのデータを収集する場合、前記低周波領域から遠い順に、正のビューのデータ、負のビューのデータを交互に収集する第２のオーダリングに従ってデータを収集し、
前記第１の高周波領域および前記第２の高周波領域の全てのビューのデータが収集された時点で、前記低周波領域の前記第３のビューおよび前記第４のビューのデータが収集されていない場合、前記条件を満たす第３のオーダリングに従って、前記第３のビューおよび前記第４のビューのデータを収集する、請求項１に記載の磁気共鳴装置。
【請求項６】
前記低周波領域は、前記第１の高周波領域および前記第２の高周波領域の全てのビューのデータが収集された時点で、データが収集されていない第１のデータ未収集領域と、データが収集されていない第２のデータ未収集領域とを有しており、
前記スキャン手段は、
前記第３のオーダリングでは、以下のステップＳ１〜Ｓ４を繰り返すことにより、データを収集する、請求項５に記載の磁気共鳴装置。
（ステップＳ１）前記第１のデータ未収集領域に含まれるビューの中で、前記第１の高周波領域に最も近いビューのデータを収集する。
（ステップＳ２）前記第１のデータ未収集領域に含まれるビューの中で、前記第１の高周波領域から最も遠いビューのデータを収集する。
（ステップＳ３）前記第２のデータ未収集領域に含まれるビューの中で、前記第２の高周波領域に最も近いビューのデータを収集する。
（ステップＳ４）前記第２のデータ未収集領域に含まれるビューの中で、前記第２の高周波領域から最も遠いビューのデータを収集する。
【請求項７】
前記スキャン手段は、
前記低周波領域のビューのデータを収集する場合、前記第１の高周波領域および前記第２の高周波領域に近い順に、正のビューのデータ、負のビューのデータを交互に収集する第１のオーダリングに従って、データを収集し、
前記第１の高周波領域および第２の高周波領域のビューのデータを収集する場合、前記低周波領域に近い順に、正のビューのデータ、負のビューのデータを交互に収集する第２のオーダリングに従ってデータを収集する、請求項１に記載の磁気共鳴装置。
【請求項８】
前記低周波領域の全てのビューのデータが収集された時点で、前記第１の高周波領域および前記第２の高周波領域の中に、データが収集されていないビューが含まれている場合、前記第２の体動状態のときだけでなく、前記第１の体動状態のときにも、前記第１の高周波領域および前記第２の高周波領域内のビューのデータを収集する、請求項７に記載の磁気共鳴装置。
【請求項９】
前記スキャン手段は、
前記低周波領域のビューのデータを収集する場合、前記第１の高周波領域から前記第２の高周波領域に向かう第１のオーダリングに従って、データを収集し、
前記第１の高周波領域および第２の高周波領域のビューのデータを収集する場合、前記低周波領域に近い順に前記第１の高周波領域のビューのデータを収集し、次に、前記低周波領域から遠い順に前記第２の高周波領域のビューのデータを収集する第２のオーダリングに従ってデータを収集し、
前記低周波領域の全てのビューのデータが収集された時点で、前記第２のビューのデータが収集されていない場合、前記条件を満たす第３のオーダリングに従って、前記第２のビューのデータを収集する、請求項１に記載の磁気共鳴装置。
【請求項１０】
前記第２の高周波領域は、前記低周波領域の全てのビューのデータが収集された時点で、データが収集されていないデータ未収集領域を有しており、
前記スキャン手段は、
前記第３のオーダリングでは、以下のステップＳ１およびＳ２を繰り返すことにより、データを収集する、請求項９に記載の磁気共鳴装置。
（ステップＳ１）前記データ未収集領域に含まれるビューの中で、前記低周波領域に最も近いビューのデータを収集する。
（ステップＳ２）前記データ未収集領域に含まれるビューの中で、前記低周波領域から最も遠いビューのデータを収集する。
【請求項１１】
前記第３のオーダリングでは、前記第２の体動状態のときだけでなく、前記第１の体動状態のときにも、前記第１の高周波領域および第２の高周波領域内のビューのデータを収集する、請求項９又は１０に記載の磁気共鳴装置。
【請求項１２】
前記スキャン手段は、
前記低周波領域のビューのデータを収集する場合、前記第１の高周波領域から前記第２の高周波領域に向かう第１のオーダリングに従って、データを収集し、
前記第１の高周波領域および第２の高周波領域のビューのデータを収集する場合、前記低周波領域に近い順に前記第１の高周波領域のビューのデータを収集し、次に、前記低周波領域から遠い順に前記第２の高周波領域のビューのデータを収集する第２のオーダリングに従ってデータを収集し、
前記第１の高周波領域および第２の高周波領域の全てのビューのデータが収集された時点で、前記第４のビューのデータが収集されていない場合、前記条件を満たす第３のオーダリングに従って、前記第４のビューのデータを収集する、請求項１に記載の磁気共鳴装置。
【請求項１３】
前記低周波領域は、前記第１の高周波領域および第２の高周波領域の全てのビューのデータが収集された時点で、データが収集されていないデータ未収集領域を有しており、
前記スキャン手段は、
前記第３のオーダリングでは、以下のステップＳ１およびＳ２を繰り返すことにより、データを収集する、請求項１２に記載の磁気共鳴装置。
（ステップＳ１）前記データ未収集領域に含まれるビューの中で、前記第２の高周波領域に最も近いビューのデータを収集する。
（ステップＳ２）前記データ未収集領域に含まれるビューの中で、前記第２の高周波領域から最も遠いビューのデータを収集する。
【請求項１４】
前記第１の体動状態は心臓が拡張期のときの状態であり、前記第２の体動状態は心臓が収縮期のときの状態である、請求項１〜１３のうちのいずれか一項に記載の磁気共鳴装置。
【発明の詳細な説明】
【技術分野】
【０００１】
本発明は、被検体の生体信号に基づいて被検体を撮影する磁気共鳴装置に関する。
【背景技術】
【０００２】
造影剤を用いて肝臓を撮影する方法が知られている（特許文献１参照）。
【先行技術文献】
【特許文献】
【０００３】
【特許文献１】特開２０１１−１６７４０８号公報
【発明の概要】
【発明が解決しようとする課題】
【０００４】
肝臓は呼吸により体動する部位であるので、呼吸による体動アーチファクトを低減することが重要となる。呼吸による体動アーチファクトを低減する方法の一つとして、被検体に息止めをしてもらい、被検体が息止めをしている間に造影剤撮影をする方法がある。しかし、肝臓は心臓の近くに位置しているので、心拍動によるアーチファクトも発生しやすい。したがって、心拍動による体動アーチファクトを低減することも重要となる。心拍動による体動アーチファクトを低減する方法として、例えば、心臓が拡張期になったときにデータを収集する方法が考えられる。しかし、被検体が息止めをしている間に造影剤撮影をする場合、時間的な制約から、データを収集する時間を拡張期のみに限定することはできず、拡張期と収縮期との両方でデータを収集する必要がある。そこで、拡張期と収縮期との両方でデータを収集する場合、体動アーチファクトの影響を低減するために、ｋ空間の低周波領域のデータは拡張期に収集し、一方、ｋ空間の高周波領域のデータは収縮期に収集する方法が知られている。この方法では、心拍動の影響をある程度軽減することができるが、一方で、低周波領域と高周波領域との境界で信号強度の段差が大きくなり、ゴーストなどのアーチファクトが発生しやすいという問題がある。
【０００５】
したがって、低周波領域と高周波領域との境界での信号強度の段差をできるだけ小さくすることが必要となる。
【課題を解決するための手段】
【０００６】
本発明の一態様は、被検体の生体信号に基づいて、前記被検体の体動状態を判断する判断手段と、
前記被検体が第１の体動状態のときにｋ空間の低周波領域内のビューのデータを収集し、前記被検体が第２の体動状態のときにｋ空間の第１の高周波領域および第２の高周波領域内のビューのデータを収集するスキャン手段と、
を有する磁気共鳴装置であって、
前記第１の高周波領域は、前記低周波領域に隣接する第１のビューを有し、
前記第２の高周波領域は、前記低周波領域に隣接する第２のビューを有し、
前記低周波領域は、前記第１のビューに隣接する第３のビューと、前記第２のビューに隣接する第４のビューとを有し、
前記スキャン手段は、
前記第１のビューと前記第３のビューとの間のデータ収集の時間差Δｔと、前記第２のビューと前記第４のビューとの間のデータ収集の時間差Δｗが、以下の条件を満たすようにスキャンを実行する、磁気共鳴装置である。
Δｔ≦Ｔ
Δｗ≦Ｔ
ただし、Ｔ：生体信号の周期
【発明の効果】
【０００７】
データ収集の時間差が生体信号の一周期以下になるようにデータを収集することにより、高周波領域と低周波領域との境界部分での信号強度の段差を小さくすることができる。
【図面の簡単な説明】
【０００８】
【図１】本発明の第１の形態の磁気共鳴装置の概略図である。
【図２】撮影部位を概略的に示す図である。
【図３】心電信号と、撮影部位をスキャンするときに実行されるシーケンスとを概略的に示す図である。
【図４】低周波領域と高周波領域に分けられたｋ空間を概略的に示す図である。
【図５】ｋ空間の各ビューのデータを収集するときのオーダリングの説明図である。
【図６】データが収集されたビューＶ−５１、Ｖ−１１４、Ｖ５２、Ｖ１１５を示す図である。
【図７】データが収集されたビューＶ−５２、Ｖ−１１３、Ｖ５３、Ｖ１１４を示す。
【図８】ｋ空間のビューのデータを収集するときの説明図である。
【図９】ｉ−７回目〜ｉ回目のシーケンスＳＱによりデータが収集されるビューを示す図である。
【図１０】ｉ＋１回目〜ｉ＋４回目のシーケンスＳＱによりデータが収集されたビューＶ−５１、Ｖ−１１４、Ｖ５２、Ｖ１１５を示す図である。
【図１１】ｉ＋５回目〜ｉ＋８回目のシーケンスＳＱによりデータが収集されたビューＶ−５２、Ｖ−１１３、Ｖ５３、Ｖ１１４を示す図である。
【図１２】シミュレーションＱ１およびＱ２の条件を示す図である。
【図１３】シミュレーションＱ２におけるオーダリングの説明図である。
【図１４】シミュレーション結果を示す図である。
【図１５】シミュレーション結果を示す図である。
【図１６】ｉ＋１回目〜ｉ＋ｍ回目のシーケンスＳＱはオーダリングＢに従ってデータを収集し、ｉ＋（ｍ＋１）回目以降のシーケンスＳＱからオーダリングＣに従ってデータを収集する場合を示す図である。
【図１７】シミュレーション結果を示す図である。
【図１８】第２の形態においてｋ空間の各ビューのデータを収集するときのオーダリングの説明図である。
【図１９】データが収集されたビューＶ５１、Ｖ２６、Ｖ−５０、Ｖ−２５を示す図である。
【図２０】データが収集されたビューＶ５０、Ｖ２７、Ｖ−４９、Ｖ−２６を示す図である。
【図２１】ｋ空間のビューのデータを収集するときの説明図である。
【図２２】ｊ＋１回目〜ｊ＋４回目のシーケンスＳＱによりデータが収集されたビューＶ５１、Ｖ２６、Ｖ−５０、Ｖ−２５を示す図である。
【図２３】第３の形態においてｋ空間の各ビューのデータを収集するときのオーダリングの説明図である。
【図２４】ｋ空間のビューのデータを収集するときの説明図である。
【図２５】第４の形態においてｋ空間の各ビューのデータを収集するときのオーダリングの説明図である。
【図２６】データが収集されたビューＶ５２、Ｖ１１５を示す図である。
【図２７】データが収集されたビューＶ５３、Ｖ１１４を示す図である。
【図２８】ｋ空間のビューのデータを収集するときの説明図である。
【図２９】ｐ−４回目〜ｐ回目のシーケンスＳＱによりデータが収集されるビューを示す図である。
【図３０】ｐ＋１回目およびｐ＋２回目のシーケンスＳＱによりデータが収集されたビューＶ５２、Ｖ１１５を示す図である。
【図３１】第５の形態においてｋ空間の各ビューのデータを収集するときのオーダリングの説明図である。
【図３２】データが収集されたビューＶ５１、Ｖ１を示す図である。
【図３３】データが収集されたビューＶ５０、Ｖ２を示す図である。
【図３４】ｋ空間のビューのデータを収集するときの説明図である。
【図３５】ｑ−７回目〜ｑ回目のシーケンスＳＱによりデータが収集されるビューを示す図である。
【図３６】ｑ＋１回目およびｑ＋２回目のシーケンスＳＱによりデータが収集されたビューＶ５１、Ｖ１を示す図である。
【発明を実施するための形態】
【０００９】
以下、発明を実施するための形態について説明するが、本発明は、以下の形態に限定されることはない。
（１）第１の形態
図１は、本発明の第１の形態の磁気共鳴装置の概略図である。
【００１０】
磁気共鳴装置（以下、「ＭＲ装置」と呼ぶ。ＭＲ：Magnetic Resonance）１００は、マグネット２、テーブル３、造影剤注入装置４、受信コイル５などを有している。
【００１１】
マグネット２は、被検体１４が収容されるボア２１、超伝導コイル２２、勾配コイル２３、送信コイル２４などを有している。超伝導コイル２２は静磁場を印加し、勾配コイル２３は勾配磁場を印加し、送信コイル２４はＲＦパルスを送信する。尚、超伝導コイル２２の代わりに、永久磁石を用いてもよい。
【００１２】
テーブル３は、被検体１４を支持するためのクレードル３ａを有している。クレードル３ａがボア２１に移動することによって、被検体１４がボアに搬入される。
【００１３】
造影剤注入装置４は、被検体１４に造影剤を注入する。
受信コイル５は被検体１４の腹部に取り付けられている。また、被検体１４には、心電信号を取得するためのセンサ６が取り付けられている。
【００１４】
ＭＲ装置１００は、更に、シーケンサ７、送信器８、勾配磁場電源９、受信器１０、制御部１１、操作部１２、および表示部１３を有している。
【００１５】
シーケンサ７は、制御部１１の制御を受けて、パルスシーケンスを実行するための情報を送信器８および勾配磁場電源９に送る。
【００１６】
送信器８は、ＲＦコイル２４に電流を供給する。
勾配磁場電源９は、勾配コイル２３に電流を供給する。
【００１７】
受信器１０は、受信コイル５で受信された磁気共鳴信号を信号処理し、制御部１１に出力する。尚、マグネット２、受信コイル５、シーケンサ７、送信器８、勾配磁場電源９、受信器１０を合わせたものが、スキャン手段に相当する。
【００１８】
制御部１１は、シーケンサ７および表示部１３に必要な情報を伝送したり、受信器１０から受け取ったデータに基づいて画像を再構成するなど、ＭＲ装置１００の各種の動作を実現するように、ＭＲ装置１００の各部の動作を制御する。制御部１１は、例えばコンピュータ（computer）によって構成される。制御部１１は、判断手段１１ａおよびビュー設定手段１１ｂなどを有している。
【００１９】
判断手段１１ａは、センサ６により取得された心電信号に基づいて、心臓が収縮期であるか拡張期であるかを判断する。
【００２０】
ビュー設定手段１１ｂは、判断手段１１ａの判断結果に基づいて、ｋ空間のデータを収集するときのビューを設定する。
【００２１】
制御部１１は、判断手段１１ａおよびビュー設定手段１１ｂを構成する一例であり、所定のプログラムを実行することにより、これらの手段として機能する。
【００２２】
操作部１２は、オペレータにより操作され、種々の情報を制御部１１に入力する。表示部１３は種々の情報を表示する。
ＭＲ装置１００は、上記のように構成されている。
【００２３】
図２は、撮影部位を概略的に示す図、図３は、心電信号と、撮影部位をスキャンするときに実行されるシーケンスとを概略的に示す図である。
【００２４】
本形態では、被検体１４に造影剤を注入し、被検体１４に息止めをしてもらった状態で、心電信号を取得しながら、肝臓を含む撮影部位のデータを取得するためのシーケンスＳＱを実行する。シーケンスＳＱは繰り返し時間ＴＲで繰り返し実行される。
【００２５】
また、本形態では、ｋ空間にデータを埋める場合、ｋ空間を低周波領域と高周波領域に分ける。図４は、低周波領域と高周波領域に分けられたｋ空間を概略的に示す図である。図４では、２５６個のビューＶ−１２７〜Ｖ１２８を有するｋ空間が示されている。ｋ空間は、低周波領域ＲＣと高周波領域ＲＯ１およびＲＯ２に分けられる。第１の形態では、低周波領域ＲＣにはビューＶー５０〜Ｖ５１が含まれており、高周波領域ＲＯ１にはビューＶ５２〜Ｖ１２８が含まれており、高周波領域ＲＯ２にはビューＶ−５１〜Ｖ−１２７が含まれているとする。しかし、低周波領域ＲＣ、高周波領域ＲＯ１およびＲＯ２に含まれるビューの分け方は、図４に限定されることはなく、種々の分け方が可能である。
【００２６】
また、第１の形態では、低周波領域ＲＣのビューのデータは心臓の拡張期に収集され、高周波領域ＲＯ１およびＲＯ２のビューのデータは心臓の収縮期に収集される。しかし、低周波領域ＲＣのビューのデータを心臓の収縮期に収集し、高周波領域ＲＯ１およびＲＯ２のビューのデータを心臓の拡張期に収集してもよい。尚、低周波領域ＲＣの全データが埋まった時点で、高周波領域ＲＯ１又はＲＯ２の中に、データがまだ収集されていないビューが存在する場合は、拡張期と収縮期の両方でデータの収集を行う。
【００２７】
図５は、ｋ空間の各ビューのデータを収集するときのオーダリングの説明図である。
【００２８】
オーダリングＡは、低周波領域ＲＣのビューのデータを収集するときのオーダリングを示しており、オーダリングＢは、高周波領域ＲＯ１およびＲＯ２のビューのデータを収集するときのオーダリングを示している。尚、各オーダリングでデータを収集するときの順番は括弧内に示されている。
【００２９】
拡張期では、オーダリングＡに従って低周波領域ＲＣのビューのデータを収集する。オーダリングＡは、最初にビューＶ０のデータを収集し、ビューＶ０のデータを収集した後、ビューＶ０に近い順に、正のビューのデータ、負のビューのデータを交互に収集するオーダリング（いわゆるセントリックオーダリング）である。図５では、１０１番目において、高周波領域ＲＯ２に隣接しているビューＶ−５０のデータが収集され、１０２番目において、高周波領域ＲＯ１に隣接しているビューＶ５１のデータが収集される。
【００３０】
一方、収縮期では、オーダリングＢに従って高周波領域ＲＯ１およびＲＯ２のビューのデータが収集される。オーダリングＢは、低周波領域ＲＣから遠い順に、高周波領域ＲＯ１およびＲＯ２の正のビューのデータ、負のビューのデータを交互に収集するオーダリング（いわゆる逆セントリックオーダリング）である。１番目に、高周波領域ＲＯ１のビューＶ１２８のデータが収集され、２番目に、高周波領域ＲＯ２のビューＶ−１２７のデータが収集される。以下、低周波領域ＲＣから遠い順に、正のビューのデータ、負のビューのデータが交互に収集される。
【００３１】
上記のように、拡張期で低周波領域ＲＣのビューのデータを収集し、収縮期で高周波領域ＲＯ１およびＲＯ２のビューのデータを収集する。したがって、収縮期でデータが収集されるビューの数と、拡張期でデータが収集されるビューの数などによって、低周波領域ＲＣの全ビューのデータの収集が先に完了することもあれば、高周波領域ＲＯ１およびＲＯ２の全ビューのデータの収集が先に完了することもある。図５では、低周波領域ＲＣの全てのビューのデータの収集が先に完了しているが、高周波領域ＲＯ１およびＲＯ２に、まだデータが収集されていないデータ未収集領域ａ１およびａ２が含まれている場合について示されている。第１の形態では、高周波領域ＲＯ１のデータ未収集領域ａ１は、ビューＶ５２〜Ｖ１１５を含んでおり、高周波領域ＲＯ２のデータ未収集領域ａ２は、ビューＶー５１〜Ｖー１１４を含んでいる。これらのビューのデータは、オーダリングＢとは別のオーダリングＣで収集する。以下に、オーダリングＣについて具体的に説明する。
【００３２】
オーダリングＣでは、以下のステップＳ１〜Ｓ４を実行する。
（ステップＳ１）高周波領域ＲＯ２のデータ未収集領域ａ２に含まれるビューの中で、低周波領域ＲＣに最も近いビューのデータを収集する。
（ステップＳ２）高周波領域ＲＯ２のデータ未収集領域ａ２に含まれるビューの中で、低周波領域ＲＣから最も遠いビューのデータを収集する。
（ステップＳ３）高周波領域ＲＯ１のデータ未収集領域ａ１に含まれるビューの中で、低周波領域ＲＣに最も近いビューのデータを収集する。
（ステップＳ４）高周波領域ＲＯ１のデータ未収集領域ａ１に含まれるビューの中で、低周波領域ＲＣから最も遠いビューのデータを収集する。
【００３３】
図５を参照すると、高周波領域ＲＯ２のデータ未収集領域ａ２には、データが収集されていないビューＶー５１〜Ｖー１１４が含まれている。データが収集されていないビューＶー５１〜Ｖー１１４の中で、低周波領域ＲＣに最も近いビューは、ビューＶ−５１であり、低周波領域ＲＣから最も遠いビューは、ビューＶ−１１４である。したがって、ステップＳ１では、ビューＶ−５１のデータが収集され、ステップＳ２では、ビューＶ−１１４のデータが収集される。
【００３４】
一方、高周波領域ＲＯ１のデータ未収集領域ａ１には、データが収集されていないビューＶ５２〜Ｖ１１５が含まれている。データが収集されていないビューＶ５２〜Ｖ１１５の中で、低周波領域ＲＣに最も近いビューは、ビューＶ５２であり、低周波領域ＲＣから最も遠いビューは、ビューＶ１１５である。したがって、ステップＳ３では、ビューＶ５２のデータが収集され、ステップＳ４では、ビューＶ１１５のデータが収集される。図６に、データが収集されたビューＶ−５１、Ｖ−１１４、Ｖ５２、Ｖ１１５を示す。
【００３５】
ステップＳ１〜Ｓ４を実行することにより、ビューＶ−５１、Ｖ−１１４、Ｖ５２、Ｖ１１５の順にデータが収集される。尚、図６を参照すると、高周波領域ＲＯ１およびＲＯ２には、データが収集されていないデータ未収集領域がまだ存在している。この場合、オーダリングＣは、ステップＳ１〜Ｓ４を再度実行する。
【００３６】
図６を参照すると、高周波領域ＲＯ２のデータ未収集領域ａ２には、データが収集されていないビューＶ−５２〜Ｖ−１１３が含まれている。データが収集されていないビューＶー５２〜Ｖー１１３の中で、低周波領域ＲＣに最も近いビューは、ビューＶ−５２であり、低周波領域ＲＣから最も遠いビューは、ビューＶ−１１３である。したがって、ステップＳ１では、ビューＶ−５２のデータが収集され、ステップＳ２では、ビューＶ−１１３のデータが収集される。
【００３７】
一方、高周波領域ＲＯ１のデータ未収集領域ａ１には、データが収集されていないビューＶ５３〜Ｖ１１４が含まれている。データが収集されていないビューＶ５３〜Ｖ１１４の中で、低周波領域ＲＣに最も近いビューは、ビューＶ５３であり、低周波領域ＲＣから最も遠いビューは、ビューＶ１１４である。したがって、ステップＳ３では、ビューＶ５３のデータが収集され、ステップＳ４では、ビューＶ１１４のデータが収集される。図７に、データが収集されたビューＶ−５２、Ｖ−１１３、Ｖ５３、Ｖ１１４を示す。
【００３８】
ビューＶ−５２、Ｖ−１１３、Ｖ５３、Ｖ１１４のデータが収集されたら、以下同様に、高周波領域ＲＯ１のデータ未収集領域ａ１に含まれているビューＶ５４〜Ｖ１１３のデータ、および高周波領域ＲＯ２のデータ未収集領域ａ２に含まれているビューＶ−５３〜Ｖ−１１２のデータが収集されるまで、ステップＳ１〜Ｓ４が繰り返し実行される。
【００３９】
尚、上記の例では、ステップＳ１〜Ｓ４は、ステップＳ１、Ｓ２、Ｓ３、Ｓ４の順で実行されている。しかし、ステップＳ１〜Ｓ４が実行されるのであれば、ステップＳ１、Ｓ２、Ｓ３、Ｓ４の順に限定されることはない。例えば、ステップＳ３、Ｓ４、Ｓ１、Ｓ２の順でもよいし、ステップＳ１、Ｓ３、Ｓ２、Ｓ４の順でもよい。
【００４０】
本形態では、心電信号（心周期Ｔ）を取得しながら、オーダリングＡ、Ｂ、およびＣに従ってｋ空間の各ビューのデータが収集される。以下に、各ビューのデータが収集される順序について、図５〜図７とともに、図８〜図１１を参照しながら更に具体的に説明する。
【００４１】
図８は、ｋ空間のビューのデータを収集するときの説明図である。図８には、１回目〜１０回目のシーケンスＳＱによりデータが収集されるビューを示している。
【００４２】
シーケンスＳＱを実行する場合、判断手段１１ａ（図１参照）は、センサ６により取得された心電信号に基づいて拡張期か収縮期かを判断する。拡張期か収縮期かを判断する方法としては、例えば、心電信号のＲ波からの経過時間を計測し、計測された経過時間に基づいて判断する方法がある。
【００４３】
ビュー設定手段１１ｂ（図１参照）は、心臓が拡張期なのか収縮期なのかに基づいて、データを収集するビューを設定する。収縮期と判断された場合は、オーダリングＢ（図５参照）に従って高周波領域ＲＯ１又はＲＯ２のビューのデータを収集し、拡張期と判断された場合は、オーダリングＡ（図５参照）に従って低周波領域Ｒｃのビューのデータを収集する。時点ｔ１は収縮期であるので、オーダリングＢに従って高周波領域ＲＯ１又はＲＯ２のビューのデータを収集する。したがって、ビュー設定手段１１ｂは、１回目のシーケンスＳＱでデータを収集するときのビューとして、高周波領域ＲＯ１のビューＶ１２８を設定する。高周波領域ＲＯ１のビューＶ１２８が設定されたので、１回目のシーケンスＳＱでは、ビューＶ１２８のデータが収集される。
【００４４】
ビューＶ１２８のデータを収集した後、判断手段１１ａは、時点ｔ２が拡張期か収縮期かを判断する（図８参照）。時点ｔ２は収縮期であるので、２回目のシーケンスＳＱでも、オーダリングＢに従って高周波領域ＲＯ１又はＲＯ２のビューのデータを収集する。したがって、ビュー設定手段１１ｂは、オーダリングＢに従って、高周波領域ＲＯ２のビューＶ−１２７を設定する。ビューＶ−１２７が設定されたので、２回目のシーケンスＳＱでは、ビューＶ−１２７のデータが収集される。
【００４５】
ビューＶ−１２７のデータを収集した後、判断手段１１ａは、時点ｔ３が拡張期か収縮期かを判断する。時点ｔ３は拡張期であるので、３回目のシーケンスＳＱでは、オーダリングＡ（図５参照）に従って低周波領域Ｒｃのビューのデータを収集する。したがって、ビュー設定手段１１ｂは、３回目のシーケンスＳＱでデータを収集するときのビューとして、低周波領域ＲＣのビューＶ０を設定する。低周波領域ＲＣのビューＶ０が設定されたので、３回目のシーケンスＳＱでは、ビューＶ０のデータが収集される。
【００４６】
４回目以降のシーケンスＳＱを実行するときにも、拡張期か収縮期かを判断し、収縮期と判断された場合は、オーダリングＢに従って高周波領域ＲＯ１又はＲＯ２のビューのデータを収集し、拡張期と判断された場合は、オーダリングＡに従って低周波領域ＲＣのビューのデータを収集する。図８を参照すると、４回目〜１０回目のシーケンスＳＱは拡張期に実行されているので、オーダリングＡに従って低周波領域ＲＣのビューＶ１、Ｖ−１、Ｖ２、Ｖ−２、Ｖ３、Ｖ−３、Ｖ４、のデータが順に収集される。したがって、３回目〜１０回目のシーケンスＳＱにより、低周波領域ＲＣのビューＶ−３〜Ｖ４のデータが収集される。
【００４７】
以下同様に、拡張期か収縮期かを判断し、収縮期と判断された場合は、オーダリングＢに従って高周波領域ＲＯ１又はＲＯ２のビューのデータを収集し、拡張期と判断された場合は、オーダリングＡに従って低周波領域ＲＣのビューのデータを収集する。したがって、シーケンスＳＱを実行するたびに、ｋ空間の各ビューにデータが次々に配置されていく。
【００４８】
図９は、ｉ−７回目〜ｉ回目のシーケンスＳＱによりデータが収集されるビューを示す図である。
【００４９】
ｉ−７回目およびｉ−６回目のシーケンスＳＱは収縮期に実行されているので、オーダリングＢに従って高周波領域のビューのデータが収集される。図９では、ｉ−７回目のシーケンスＳＱで高周波領域ＲＯ１のビューＶ１１６のデータが収集され、ｉ−６回目のシーケンスＳＱで高周波領域ＲＯ２のビューＶ−１１５のデータが収集される。また、ｉ−５回目〜ｉ回目のシーケンスＳＱは拡張期に実行されているので、低周波領域ＲＣのビューのデータが収集される。ここでは、ｉ−５回目〜ｉ回目のシーケンスＳＱでは、低周波領域ＲＣのビューＶー４８、Ｖ４９、Ｖー４９、Ｖ５０、Ｖ−５０、Ｖ５１のデータが収集される。ｉ回目のシーケンスＳＱが終了した時点で、低周波領域ＲＣの全てのビューＶ−５０〜Ｖ５１のデータの収集が完了する。
【００５０】
次に、ｉ＋１回目以降のシーケンスＳＱにより収集されるデータについて説明する。
図９を参照すると、低周波領域ＲＣは全てのビューのデータが収集されている。しかし、高周波領域ＲＯ１には、まだデータが収集されていないデータ未収集領域ａ１が存在しており、高周波領域ＲＯ２には、まだデータが収集されていないデータ未収集領域ａ２が存在している。データ未収集領域ａ１には、ビューＶ５２〜Ｖ１１５が含まれており、データ未収集領域ａ２には、ビューＶ−５１〜Ｖ−１１４が含まれている。そこで、ｉ＋１回目以降のシーケンスＳＱは、これらのビューＶ５２〜Ｖ１１５およびビューＶ−５１〜Ｖ−１１４を収集するために実行される。これらのビューＶ５２〜Ｖ１１５およびビューＶ−５１〜Ｖ−１１４のデータは、オーダリングＣ（図６および図７参照）に従って収集される。尚、ｉ＋１回目以降のシーケンスＳＱでは、低周波領域ＲＣのビューのデータは収集する必要がないので、収縮期だけでなく拡張期も、高周波領域のビューのデータを収集するために使用される。これにより、データ未収集領域のビューのデータを短時間で取得することができる。
【００５１】
オーダリングＣでは、先ず、図６を参照しながら説明したように、ステップＳ１〜Ｓ４に従ってデータを収集する。
【００５２】
本形態では、ｉ＋１回目のシーケンスＳＱからオーダリングＣが開始される。したがって、ｉ＋１回目〜ｉ＋４回目のシーケンスＳＱを実行するときに、ステップＳ１〜Ｓ４に従ってデータが収集される。
【００５３】
ｉ＋１回目のシーケンスＳＱでは、ステップＳ１に従って、高周波領域ＲＯ２のデータ未収集領域ａ２に含まれるビューＶー５１〜Ｖー１１４の中で、低周波領域ＲＣに最も近いビューＶー５１のデータを収集する。
ｉ＋２回目のシーケンスＳＱでは、ステップＳ２に従って、高周波領域ＲＯ２のデータ未収集領域ａ２に含まれるビューＶー５１〜Ｖー１１４の中で、低周波領域ＲＣから最も遠いビューＶー１１４のデータを収集する。
ｉ＋３回目のシーケンスＳＱでは、ステップＳ３に従って、高周波領域ＲＯ１のデータ未収集領域ａ１に含まれるビューＶ５２〜Ｖ１１５の中で、低周波領域ＲＣに最も近いビューＶ５２のデータを収集する。
ｉ＋４回目のシーケンスＳＱでは、ステップＳ４に従って、高周波領域ＲＯ１のデータ未収集領域ａ１に含まれるビューＶ５２〜Ｖ１１５の中で、低周波領域ＲＣから最も遠いビューＶ１１５のデータを収集する。
【００５４】
図１０に、ｉ＋１回目〜ｉ＋４回目のシーケンスＳＱによりデータが収集されたビューＶ−５１、Ｖ−１１４、Ｖ５２、Ｖ１１５を示す。高周波領域ＲＯ２と低周波領域ＲＣとの境界部分では、ビューＶ−５０およびＶ−５１が隣接しており、高周波領域ＲＯ１と低周波領域ＲＣとの境界部分では、ビューＶ５１およびＶ５２が隣接している。図１０を参照すると、隣接するビューＶ−５０およびＶ−５１のデータ収集の時間差Δｔ、および隣接するビューＶ５１およびＶ５２のデータ収集の時間差Δｗは、心周期Ｔよりも小さいことがわかる。
【００５５】
尚、高周波領域ＲＯ１には、まだデータが収集されていないデータ未収集領域ａ１（ビューＶ５３〜Ｖ１１４）が含まれており、高周波領域ＲＯ２には、まだデータが収集されていないデータ未収集領域ａ２（ビューＶ−５２〜Ｖ−１１３）が含まれている。したがって、ｉ＋５回目以降のシーケンスＳＱでも、ステップＳ１〜Ｓ４を再度実行する。
【００５６】
ｉ＋５回目のシーケンスＳＱでは、ステップＳ１に従って、高周波領域ＲＯ２のデータ未収集領域ａ２に含まれるビューＶー５２〜Ｖー１１３の中で、低周波領域ＲＣに最も近いビューＶー５２のデータを収集する。
ｉ＋６回目のシーケンスＳＱでは、ステップＳ２に従って、高周波領域ＲＯ２のデータ未収集領域ａ２に含まれるビューＶー５２〜Ｖー１１３の中で、低周波領域ＲＣから最も遠いビューＶー１１３のデータを収集する。
ｉ＋７回目のシーケンスＳＱでは、ステップＳ３に従って、高周波領域ＲＯ１のデータ未収集領域ａ１に含まれるビューＶ５３〜Ｖ１１４の中で、低周波領域ＲＣに最も近いビューＶ５３のデータを収集する。
ｉ＋８回目のシーケンスＳＱでは、ステップＳ４に従って、高周波領域ＲＯ１のデータ未収集領域ａ１に含まれるビューＶ５３〜Ｖ１１４の中で、低周波領域ＲＣから最も遠いビューＶ１１４のデータを収集する。
【００５７】
図１１に、ｉ＋５回目〜ｉ＋８回目のシーケンスＳＱによりデータが収集されたビューＶ−５２、Ｖ−１１３、Ｖ５３、Ｖ１１４を示す。尚、図１１を参照すると、高周波領域ＲＯ１には、データが収集されていないビューＶ５４〜Ｖ１１３がまだ含まれており、高周波領域ＲＯ２には、データが収集されていないビューＶ−５３〜Ｖ−１１２がまだ含まれている。したがって、ｉ＋９回目以降のシーケンスＳＱでは、高周波領域の残りのビューＶ−５３〜Ｖ−１１２およびＶ５４〜Ｖ１１３のデータが収集されるまで、ステップＳ１〜Ｓ４が繰り返し実行される。このようにして、ｋ空間の全ビューのデータが収集される。
【００５８】
本形態では、低周波領域ＲＣでは、オーダリングＡに従って、中央のビューＶ０のデータが最初に収集され、その後、ビューＶ０に近い順に、正のビューのデータ、負のビューのデータが交互に収集される。一方、高周波領域ＲＯ１およびＲＯ２では、当初は、オーダリングＢに従って、低周波領域ＲＣから遠いビューのデータが先に収集されるが、低周波領域ＲＣの全ビューのデータが収集された後は、オーダリングＣに従ってデータが収集される。このような順序でデータを収集することによって、隣接するビューの信号強度の段差を小さくすることができるので、アーチファクトの低減された画像データを得ることができる。このことを検証するため、２つのシミュレーションＱ１およびＱ２を実行した。以下に、２つのシミュレーションＱ１およびＱ２について説明する。
【００５９】
図１２は、シミュレーションＱ１およびＱ２の条件を示す図である。
シミュレーションＱ１では、本形態のオーダリングに従ってデータを収集した。つまり、図５、図６、および図７に示すように、低周波領域ＲＣのビューのデータはオーダリングＡに従って収集し、高周波領域ＲＯ１およびＲＯ２のビューのデータはオーダリングＢ、Ｃに従って収集した。
【００６０】
一方、シミュレーションＱ２では、シミュレーションＱ２とは別のオーダリングに従ってデータを収集した。図１３は、シミュレーションＱ２におけるオーダリングの説明図である。シミュレーションＱ２では、低周波領域ＲＣのビューのデータは、シミュレーションＱ１と同様に、オーダリングＡに従って収集した。しかし、高周波領域ＲＯ１およびＲＯ２のビューのデータは、シミュレーションＱ１とは異なり、別のオーダリングＤに従って収集した。オーダリングＤは、低周波領域ＲＣに近い順に、正のビューのデータ、負のビューのデータを交互に収集するオーダリング（いわゆるセントリックオーダリング）である。
【００６１】
尚、ｋ空間の低周波領域ＲＣのビューの数、ｋ空間の高周波領域ＲＯ１のビューの数、ｋ空間の高周波領域ＲＯ２のビューの数、シーケンスＳＱのＴＲ、心周期Ｔは、同じシミュレーション条件とした。
【００６２】
図１４および図１５は、シミュレーション結果を示す図である。
図１４は、シミュレーションＱ１により得られた各ビューとデータ収集時点との関係を示すグラフであり、図１５は、シミュレーションＱ２により得られた各ビューとデータ収集時点との関係を示すグラフである。
【００６３】
図１５のシミュレーションＱ２では、低周波領域ＲＣのビューＶー５０〜Ｖ５１のデータはオーダリングＡ（図１３参照）に従って収集されるので、ビューＶ０のデータが最初に収集され、その後、ビューＶ０から近い順に、正のビュー、負のビューのデータが交互に収集される。したがって、ビューＶ０から離れるほど、データが収集される時刻が遅くなり、低周波領域ＲｃのビューＶ−５０のデータは、時点ｔ−５０において収集される。一方、高周波領域ＲＯ１およびＲＯ２のビューのデータは、オーダリングＤ（図１３参照）に従って収集されているので、低周波領域Ｒｃに近いビューから先にデータが収集される。したがって、シミュレーションＱ２では、高周波領域ＲＯ１のビューＶ−５１のデータは、ｋ空間のデータ収集を開始した直後の時点ｔ−５１で収集される。このため、低周波領域ＲＣと高周波領域ＲＯ２との境界部分では、隣接するビューＶ−５０とビューＶ−５１との間のデータの収集時間に大きな時間差Δｔが生じ、信号強度の段差が大きくなる。
【００６４】
上記の説明では、低周波領域ＲＣと高周波領域ＲＯ２との境界部分について述べたが、低周波領域ＲＣと高周波領域ＲＯ１との境界部分でも同様に考えることができる。低周波領域ＲＣと高周波領域ＲＯ１との境界部分では、ビューＶ５１およびビューＶ５２が隣接している。隣接するビューＶ５１とビューＶ５２との間のデータの収集時間にも大きな時間差Δｗが生じ、やはり、信号強度の段差が大きくなる。
【００６５】
したがって、図１５では、低周波領域ＲＣと高周波領域ＲＯ１およびＲＯ２との境界部分での信号強度の段差が大きくなり、画質が劣化する。
【００６６】
一方、図１４のシミュレーションＱ１では、低周波領域ＲＣのビューのデータは、シミュレーションＱ２と同様に、オーダリングＡ（図５参照）に従って収集される。しかし、高周波領域ＲＯ１およびＲＯ２のビューのデータは、シミュレーションＱ２とは異なり、当初は、オーダリングＢに従って収集され、低周波領域ＲＣの全ビューのデータが収集されたら、オーダリングＣに切り替わる。オーダリングＣでは、ステップＳ１〜Ｓ４に従ってデータが収集されるので、低周波領域ＲＣのビューＶ−５０のデータが収集されてから、短時間のうちに、ビューＶ−５１のデータが収集される。したがって、低周波領域ＲＣと高周波領域ＲＯ２との境界部分では、隣接するビューＶ−５０とビューＶ−５１との間のデータ収集の時間差Δｔを小さくすることができるので、信号強度の段差を小さくすることができる。同様に、低周波領域ＲＣと高周波領域ＲＯ１との境界部分でも、隣接するビューＶ５１とビューＶ５２との間のデータ収集の時間差Δｗを小さくすることができるので、信号強度の段差を小さくすることができる。
【００６７】
したがって、図１４では、低周波領域ＲＣと高周波領域ＲＯ１およびＲＯ２との境界部分での信号強度の段差を小さくすることができるので、画質を向上させることができる。
【００６８】
また、高周波領域のビューＶ５２〜Ｖ１１５およびＶ−５１〜Ｖ−１１４のデータをオーダリングＣで収集することにより、オーダリングＢでデータが収集されたビューＶ１１６と、オーダリングＣでデータが収集されたビューＶ１１５とのデータ収集の時間差も小さくすることができる。したがって、高周波領域ＲＯ１内において異なるオーダリングでデータが収集されるビューＶ１１５とＶ１１６との間の信号強度の段差を小さくすることができる。同様に、高周波領域ＲＯ２内において異なるオーダリングでデータが収集されるビューＶ−１１４とＶ−１１５との間の信号強度の段差も小さくすることができる。したがって、画質を更に向上させることが可能となる。
【００６９】
尚、上記の例では、図１０に示すように、ｉ回目のシーケンスＳＱにより低周波領域ＲＣの全ビューのデータを収集した後、ｉ＋１回目以降のシーケンスＳＱは、オーダリングＣに従って高周波領域の残りのビューのデータを収集している。しかし、ｉ＋１回目以降のシーケンスＳＱであっても、最初はオーダリングＢに従ってデータを収集し、途中からオーダリングＣに従ってデータを収集してもよい。図１６に、ｉ＋１回目〜ｉ＋ｍ回目のシーケンスＳＱはオーダリングＢに従ってデータを収集し、ｉ＋（ｍ＋１）回目以降のシーケンスＳＱからオーダリングＣに従ってデータを収集する場合を示す。オーダリングＢでは、低周波領域ＲＣから遠い順にビューのデータを収集するので、オーダリングＢで収集されている間は、ビューＶ−５１およびＶ５２のデータは収集されない。したがって、オーダリングＢを実行している期間ｘだけ、隣接するビューＶ−５０とビューＶ−５１との間のデータ収集の時間差Δｔは長くなり、隣接するビューＶ５１とビューＶ５２との間のデータ収集の時間差Δｗも長くなる。しかし、オーダリングＢからオーダリングＣに切り替われば、ビューＶ−５１およびＶ５２のデータが直ぐに収集されるので、オーダリングＢの期間ｘが短ければ、時間差ΔｔおよびΔｗは十分に短くできるので、信号強度の段差を小さくすることができる。ただし、オーダリングＢの期間ｘを長くしすぎると、時間差ΔｔおよびΔｗが長くなるので、低周波領域ＲＣと高周波領域ＲＯ１およびＲＯ２との境界部分における信号強度の段差が大きくなり、画質が劣化する。したがって、良好な画質を維持するためには、時間差ΔｔおよびΔｗは短いことが望ましい。このことを検証するために、オーダリングＢの期間ｘの長さを変化させることにより、ΔｔおよびΔｗの時間差を変化させた場合に、画質がどのように変化するかを調べるためのシミュレーションを行った。
【００７０】
図１７は、そのシミュレーション結果を示す図である。
グラフの横軸は、時間差ΔｔおよびΔｗの値であり、縦軸は、ゴーストの指標となる情報エントロピーを示している。情報エントロピーの値が小さいほど、ゴーストが低減されていることを意味する。
【００７１】
情報エントロピーは、時間差ΔｔおよびΔｗが大きくなるにつれて、心周期Ｔごとに大きくなっている。したがって、ΔｔおよびΔｗが小さければ、情報エントロピーを小さい値にすることができので、ゴーストを低減することが可能となる。図１７のグラフを参照すると、時間差ΔｔおよびΔｗの両方が心周期Ｔ以下に収まっていれば、情報エントロピーを十分に小さくできることがわかる。したがって、時間差ΔｔおよびΔｗの両方を心周期Ｔ以下にすることにより、ゴーストが低減された画像を得ることができる。このような理由から、ΔｔおよびΔｗは、心周期Ｔ以下に設定することが望ましい。
【００７２】
（２）第２の形態
第１の形態では、高周波領域ＲＯ１およびＲＯ２の全ビューのデータが収集される前に、低周波領域ＲＣの全ビューのデータが先に収集された例について説明されている。第２の形態では、低周波領域ＲＣの全ビューのデータが収集される前に、高周波領域ＲＯ１およびＲＯ２の全ビューのデータが先に収集される場合のオーダリングについて説明する。尚、ＭＲ装置のハードウェア構成は、第１の形態と同じである。
【００７３】
図１８は、第２の形態においてｋ空間の各ビューのデータを収集するときのオーダリングの説明図である。オーダリングＡは、低周波領域ＲＣのビューのデータを収集するときのオーダリングを示しており、オーダリングＢは、高周波領域ＲＯ１およびＲＯ２のビューのオーダリングを示している。尚、各オーダリングでデータを収集するときの順番は括弧内に示されている。
【００７４】
拡張期では、オーダリングＡに従って低周波領域ＲＣのビューのデータを収集する。オーダリングＡは、第１の形態と同様に、最初にビューＶ０のデータを収集し、ビューＶ０のデータを収集した後、ビューＶ０に近い順に、正のビューのデータ、負のビューのデータを交互に収集するオーダリング（いわゆるセントリックオーダリング）である。
【００７５】
一方、収縮期では、オーダリングＢに従って高周波領域ＲＯ１およびＲＯ２のビューのデータが収集される。
【００７６】
オーダリングＢは、第２の形態と同様に、低周波領域ＲＣから遠い順に、正のビューのデータ、負のビューのデータを交互に収集するオーダリング（いわゆる逆セントリックオーダリング）である。１番目に、高周波領域ＲＯ１のビューＶ１２８のデータが収集され、２番目に、高周波領域ＲＯ２のビューＶ−１２７のデータが収集される。以下、低周波領域ＲＣから遠い順に、正のビューのデータ、負のビューのデータが交互に収集される。
【００７７】
図１８では、高周波領域ＲＯ１およびＲＯ２の全てのビューのデータの収集が先に完了しているが、低周波領域ＲＣでは、まだデータが収集されていないデータ未収集領域ｂ１およびｂ２が存在している。第２の形態では、データ未収集領域ｂ１は、ビューＶ２６〜Ｖ５１を含んでおり、データ未収集領域ｂ２は、ビューＶー２５〜Ｖー５０を含んでいる。これらのビューのデータは、オーダリングＢとは別のオーダリングＥで収集する。以下に、オーダリングＥについて具体的に説明する。
【００７８】
オーダリングＥでは、以下のステップＳ１〜Ｓ４を実行する。
（ステップＳ１）低周波領域ＲＣのデータ未収集領域ｂ１に含まれるビューの中で、高周波領域ＲＯ１に最も近いビューのデータを収集する。
（ステップＳ２）低周波領域ＲＣのデータ未収集領域ｂ１に含まれるビューの中で、高周波領域ＲＯ１から最も遠いビューのデータを収集する。
（ステップＳ３）低周波領域ＲＣのデータ未収集領域ｂ２に含まれるビューの中で、高周波領域ＲＯ２に最も近いビューのデータを収集する。
（ステップＳ４）低周波領域ＲＣのデータ未収集領域ｂ２に含まれるビューの中で、高周波領域ＲＯ２から最も遠いビューのデータを収集する。
【００７９】
図１８を参照すると、低周波領域ＲＣのデータ未収集領域ｂ１には、データが収集されていないビューＶ２６〜Ｖ５１が含まれている。データが収集されていないビューＶ２６〜Ｖ５１の中で、高周波領域ＲＯ１に最も近いビューは、ビューＶ５１であり、高周波領域ＲＯ１から最も遠いビューは、ビューＶ２６である。したがって、ステップＳ１では、ビューＶ５１のデータが収集され、ステップＳ２では、ビューＶ２６のデータが収集される。
【００８０】
一方、低周波領域ＲＣのデータ未収集領域ｂ２には、データが収集されていないビューＶー２５〜Ｖー５０が含まれている。データが収集されていないビューＶー２５〜Ｖー５０の中で、高周波領域ＲＯ２に最も近いビューは、ビューＶ−５０であり、高周波領域ＲＯ２から最も遠いビューは、ビューＶ−２５である。したがって、ステップＳ３では、ビューＶ−５０のデータが収集され、ステップＳ４では、ビューＶ−２５のデータが収集される。図１９に、データが収集されたビューＶ５１、Ｖ２６、Ｖ−５０、Ｖ−２５を示す。
【００８１】
ステップＳ１〜Ｓ４を実行することにより、ビューＶ５１、Ｖ２６、Ｖ−５０、Ｖ−２５の順にデータが収集される。尚、図１９を参照すると、低周波領域ＲＣには、データが収集されていないデータ未収集領域がまだ存在している。この場合、オーダリングＥは、ステップＳ１〜Ｓ４を再度実行する。低周波領域ＲＣのデータ未収集領域ｂ１には、データが収集されていないビューＶ２７〜Ｖ５０が含まれている。データが収集されていないビューＶ２７〜Ｖ５０の中で、高周波領域ＲＯ１に最も近いビューは、ビューＶ５０であり、高周波領域ＲＯ１から最も遠いビューは、ビューＶ２７である。したがって、ステップＳ１では、ビューＶ５０のデータが収集され、ステップＳ２では、ビューＶ２７のデータが収集される。
【００８２】
一方、低周波領域ＲＣのデータ未収集領域ｂ２には、データが収集されていないビューＶー２６〜Ｖー４９が含まれている。データが収集されていないビューＶー２６〜Ｖー４９の中で、高周波領域ＲＯ２に最も近いビューは、ビューＶ−４９であり、高周波領域ＲＯ２から最も遠いビューは、ビューＶ−２６である。したがって、ステップＳ３では、ビューＶ−４９のデータが収集され、ステップＳ４では、ビューＶ−２６のデータが収集される。図２０に、データが収集されたビューＶ５０、Ｖ２７、Ｖ−４９、Ｖ−２６を示す。
【００８３】
ビューＶ５０、Ｖ２７、Ｖ−４９、Ｖ−２６のデータが収集されたら、以下同様に、低周波領域ＲＣのデータ未収集領域ｂ１に含まれているビューＶ２８〜Ｖ４９のデータ、およびデータ未収集領域ｂ２に含まれているビューＶ−２７〜Ｖ−４８のデータが収集されるまで、ステップＳ１〜Ｓ４が繰り返し実行される。
【００８４】
尚、上記の例では、ステップＳ１〜Ｓ４は、ステップＳ１、Ｓ２、Ｓ３、Ｓ４の順で実行されている。しかし、ステップＳ１〜Ｓ４が実行されるのであれば、ステップＳ１、Ｓ２、Ｓ３、Ｓ４の順に限定されることはない。例えば、ステップＳ３、Ｓ４、Ｓ１、Ｓ２の順でもよいし、ステップＳ１、Ｓ３、Ｓ２、Ｓ４の順でもよい。
【００８５】
第２の形態では、心電信号（心周期Ｔ）を取得しながら、オーダリングＡ、Ｂ、およびＥに従ってｋ空間の各ビューのデータが収集される。以下に、各ビューのデータが収集される順序について、図２１を参照しながら説明する。
【００８６】
図２１は、ｋ空間のビューのデータを収集するときの説明図である。図２１では、ｊ−７回目〜ｊ回目のシーケンスＳＱによりデータが収集されるビューを示している。
【００８７】
ｊ−７回目およびｊ−６回目のシーケンスＳＱは拡張期に実行されているので、オーダリングＡに従って低周波領域ＲＣのビューのデータが収集される。図２１では、ｊ−７回目のシーケンスＳＱで低周波領域ＲＣのビューＶ−２４のデータが収集され、ｊ−６回目のシーケンスＳＱで低周波領域ＲＣのビューＶ２５のデータが収集される。また、ｊ−５回目〜ｊ回目のシーケンスＳＱは収縮期に実行されているので、高周波領域ＲＯ１およびＲＯ２のビューのデータが収集される。ここでは、ｊ−５回目〜ｊ回目のシーケンスＳＱでは、高周波領域ＲＯ１およびＲＯ２のビューＶ５４、Ｖ−５３、Ｖ５３、Ｖ−５２、Ｖ５２、Ｖ−５１のデータが収集される。ｊ回目のシーケンスＳＱが終了した時点で、高周波領域ＲＯ１およびＲＯ２の全てのビューのデータの収集が完了する。
【００８８】
次に、ｊ＋１回目以降のシーケンスＳＱにより収集されるデータについて説明する。
図２１を参照すると、高周波領域ＲＯ１およびＲＯ２は全てのビューのデータが収集されている。しかし、低周波領域ＲＣには、まだデータが収集されていないデータ未収集領域ｂ１およびｂ２が存在している。データ未収集領域ｂ１には、ビューＶ２６〜Ｖ５１が含まれており、データ未収集領域ｂ２には、ビューＶ−２５〜Ｖ−５０が含まれている。そこで、ｊ＋１回目以降のシーケンスＳＱは、これらのビューＶ２６〜Ｖ５１およびＶ−２５〜Ｖ−５０のデータを収集するために実行される。これらのビューＶ２６〜Ｖ５１およびＶ−２５〜Ｖ−５０のデータは、オーダリングＥ（図１９および図２０参照）に従って収集される。
【００８９】
オーダリングＥでは、先に説明したように、ステップＳ１〜Ｓ４に従ってデータを収集する。
【００９０】
第２の形態では、ｊ＋１回目のシーケンスＳＱからオーダリングＥが開始される。したがって、ｊ＋１回目〜ｊ＋４回目のシーケンスＳＱを実行するときに、ステップＳ１〜Ｓ４に従ってデータが収集される。
【００９１】
ｊ＋１回目のシーケンスＳＱでは、ステップＳ１に従って、低周波領域ＲＣのデータ未収集領域ｂ１に含まれるビューＶ２６〜Ｖ５１の中で、高周波領域ＲＯ１に最も近いビューＶ５１のデータを収集する。
ｊ＋２回目のシーケンスＳＱでは、ステップＳ２に従って、低周波領域ＲＣのデータ未収集領域ｂ１に含まれるビューＶ２６〜Ｖ５１の中で、高周波領域ＲＯ１から最も遠いビューＶ２６のデータを収集する。
ｊ＋３回目のシーケンスＳＱでは、ステップＳ３に従って、低周波領域ＲＣのデータ未収集領域ｂ２に含まれるビューＶー２５〜Ｖー５０の中で、高周波領域ＲＯ２に最も近いビューＶー５０のデータを収集する。
ｊ＋４回目のシーケンスＳＱでは、ステップＳ４に従って、低周波領域ＲＣのデータ未収集領域ｂ２に含まれるビューＶー２５〜Ｖー５０の中で、高周波領域ＲＯ２から最も遠いビューＶー２５のデータを収集する。
【００９２】
図２２に、ｊ＋１回目〜ｊ＋４回目のシーケンスＳＱによりデータが収集されたビューＶ５１、Ｖ２６、Ｖ−５０、Ｖ−２５を示す。高周波領域ＲＯ１と低周波領域ＲＣとの境界部分では、ビューＶ５１およびＶ５２が隣接しており、高周波領域ＲＯ２と低周波領域ＲＣとの境界部分では、ビューＶ−５０およびＶ−５１が隣接している。図２２を参照すると、隣接するビューＶ５１およびＶ５２のデータ収集の時間差Δｔ、および隣接するビューＶ−５０およびＶ−５１のデータ収集の時間差Δｗは、心周期Ｔよりも小さいことがわかる。
【００９３】
尚、低周波領域ＲＣには、データが収集されていないビューＶ２７〜Ｖ５０およびビューＶ−２６〜Ｖ−４９がまだ含まれている。したがって、ｊ＋５回目以降のシーケンスＳＱでは、低周波領域の残りのビューＶ２７〜Ｖ５０およびビューＶ−２６〜Ｖ−４９のデータが収集されるまで、ステップＳ１〜Ｓ４が繰り返し実行される。このようにして、ｋ空間の全ビューのデータが収集される。
【００９４】
第２の形態では、低周波領域ＲＣのビューのデータは、当初は、オーダリングＡに従って収集されるが、高周波領域ＲＯ１およびＲＯ２の全ビューのデータが収集された後は、オーダリングＡからオーダリングＥに切り替わる。したがって、高周波領域ＲＯ２のビューＶ５２のデータが収集されてから、短時間のうちに、低周波領域ＲＣのビューＶ５１のデータが収集されるので、隣接するビューＶ５１およびＶ５２のデータ収集の時間差Δｔを心周期Ｔ以下にすることができる。同様に、低周波領域ＲＣと高周波領域ＲＯ２との境界部分で隣接するビューＶ−５０およびＶ−５１のデータ収集の時間差Δｗも心周期Ｔ以下にすることができる。したがって、低周波領域ＲＣと高周波領域ＲＯ１およびＲＯ２との境界部分における信号強度の段差を小さくすることができ、良好な画質の画像データを得ることができる。
【００９５】
また、低周波領域ＲＣのビューＶ２６〜Ｖ５１およびＶ−２５〜Ｖ−５０のデータをオーダリングＥで収集することにより、オーダリングＡでデータが収集されたビューＶ２５と、オーダリングＥでデータが収集されたビューＶ２６とのデータ収集の時間差も小さくすることができる。したがって、低周波領域ＲＣ内において異なるオーダリングでデータが収集されるビューＶ２５とＶ２６との間の信号強度の段差も小さくすることができる。同様に、低周波領域ＲＣのビューＶ−２４はオーダリングＡでデータが収集されており、一方、ビューＶ−２５はオーダリングＥでデータが収集されているが、これらのビューＶ−２４およびＶ−２５のデータ収集の時間差も小さくすることができるので、ビューＶ−２４とＶ−２５との間の信号強度の段差も小さくすることができる。したがって、画質を更に向上させることが可能となる。
【００９６】
（３）第３の形態
第３の形態では、第１および第２の形態とは別のオーダリングに従って各ビューのデータを収集する方法について説明する。尚、ＭＲ装置のハードウェア構成は、第１の形態と同じであるので説明は省略する。
【００９７】
図２３は、第３の形態においてｋ空間の各ビューのデータを収集するときのオーダリングの説明図である。オーダリングＦは、低周波領域ＲＣのビューのデータを収集するときのオーダリングを示しており、オーダリングＧは、高周波領域ＲＯ１およびＲＯ２のビューのオーダリングを示している。尚、各オーダリングでデータを収集するときの順番は括弧内に示されている。
【００９８】
拡張期では、オーダリングＦに従って低周波領域ＲＣのビューのデータを収集する。オーダリングＦは、高周波領域ＲＯ１およびＲＯ２に近い順に、正のビューのデータ、負のビューのデータを交互に収集するオーダリング（いわゆる逆セントリックオーダリング）である。１番目に、高周波領域ＲＯ１に隣接するビューＶ５１のデータが収集され、２番目に、高周波領域ＲＯ２に隣接するビューＶ−５０のデータが収集される。３番目に、ビューＶ５０のデータが収集され、４番目に、ビューＶ−４９のデータが収集される。以下同様に、高周波領域ＲＯ１およびＲＯ２に近いビューから順に、正のビューのデータ、負のビューのデータが交互に収集される。
【００９９】
一方、収縮期では、オーダリングＧに従って高周波領域ＲＯ１およびＲＯ２のビューのデータが収集される。オーダリングＧは、低周波領域ＲＣに近い順に、正のビューのデータ、負のビューのデータを交互に収集するオーダリング（いわゆるセントリックオーダリング）である。１番目に、高周波領域ＲＯ１のビューの中で、低周波領域ＲＣに隣接するビューＶ５２のデータが収集され、２番目に、高周波領域ＲＯ２のビューの中で、低周波領域ＲＣに隣接するビューＶ−５１のデータが収集される。３番目に、高周波領域ＲＯ１のビューＶ５３のデータが収集され、４番目に、高周波領域ＲＯ２のビューＶ−５２のデータが収集される。以下同様に、低周波領域ＲＣに近いビューから順に、正のビューのデータ、負のビューのデータが交互に収集される。
【０１００】
第３の形態では、心電信号（心周期Ｔ）を取得しながら、オーダリングＦおよびＧに従ってｋ空間の各ビューのデータが収集される。以下に、各ビューのデータが収集される順序について、図２４を参照しながら説明する。
【０１０１】
図２４は、ｋ空間のビューのデータを収集するときの説明図である。図２４では、１回目〜１０回目のシーケンスＳＱによりデータが収集されるビューを示している。
【０１０２】
１回目および２回目のシーケンスＳＱは収縮期に実行されているので、オーダリングＧに従って高周波領域のビューのデータが収集される。したがって、１回目のシーケンスＳＱで高周波領域ＲＯ１のビューＶ５２のデータが収集され、２回目のシーケンスＳＱで高周波領域ＲＯ２のビューＶ−５１のデータが収集される。
【０１０３】
一方、３回目〜１０回目のシーケンスＳＱは拡張期に実行されているので、オーダリングＦに従って低周波領域ＲＣのビューのデータが収集される。したがって、３回目のシーケンスＳＱでは、低周波領域ＲＣのビューＶ５１のデータが収集され、４回目のシーケンスＳＱでは、低周波領域ＲＣのビューＶ−５０のデータが収集される。以下同様に、オーダリングＦに従って、５回目〜１０回目のシーケンスＳＱが実行され、ビューＶ５０、Ｖ−４９、Ｖ４９、Ｖ−４８、Ｖ４８、Ｖ−４７のデータが順に収集される。したがって、３回目〜１０回目のシーケンスＳＱにより、低周波領域ＲＣのビューＶ４８〜Ｖ５１およびビューＶ−４７〜Ｖ５０のデータが収集される。
【０１０４】
以下同様に、拡張期か収縮期かを判断し、収縮期と判断された場合は、オーダリングＧに従って高周波領域ＲＯ１又はＲＯ２のビューのデータを収集し、拡張期と判断された場合は、オーダリングＦに従って低周波領域ＲＣのビューのデータを収集する。したがって、ｋ空間の各ビューのデータを収集することができる。
【０１０５】
第３の形態では、低周波領域ＲＣでは、高周波領域ＲＯ１およびＲＯ２に近いビューから順に収集され、一方、高周波領域ＲＯ１およびＲＯ２では、低周波領域ＲＣに近いビューから順に収集される。したがって、高周波領域ＲＯ１と低周波領域ＲＣとの境界部分において隣接するビューＶ５１とビューＶ５２との間のデータ収集の時間差Δｔを十分に小さくすることができるので、時間差Δｔを心周期Ｔ以下にすることができる。同様に、高周波領域ＲＯ２と低周波領域ＲＣとの境界部分において隣接するビューＶ−５０とビューＶ−５１との間のデータ収集の時間差Δｗも十分に小さくすることができるので、時間差Δｗを心周期Ｔ以下にすることができる。したがって、低周波領域ＲＣと高周波領域ＲＯ１およびＲＯ２との境界部分における信号強度の段差を小さくすることができ、良好な画質の画像データを得ることができる。
【０１０６】
尚、収縮期でデータが収集されるビューの数と、拡張期でデータが収集されるビューの数などによって、低周波領域ＲＣの全ビューのデータの収集が完了したが、高周波領域ＲＯ１およびＲＯ２には、まだデータが収集されていないビューを含むデータ未収集領域が存在することがある。この場合は、収縮期だけでなく、拡張期も、高周波領域のデータ未収集領域のビューのデータを収集するために使用することができる。これにより、データ未収集領域のビューのデータを短時間で取得することができる。
【０１０７】
（４）第４の形態
第４の形態では、第１〜第３の形態とは別のオーダリングに従って各ビューのデータを収集する方法について説明する。尚、ＭＲ装置のハードウェア構成は、第１の形態と同じであるので説明は省略する。
【０１０８】
図２５は、第４の形態においてｋ空間の各ビューのデータを収集するときのオーダリングの説明図である。オーダリングＨは、低周波領域ＲＣのビューのデータを収集するときのオーダリングを示しており、オーダリングＩは、高周波領域ＲＯ１およびＲＯ２のビューのオーダリングを示している。尚、各オーダリングでデータを収集するときの順番は括弧内に示されている。
【０１０９】
拡張期では、オーダリングＨに従って低周波領域ＲＣのビューのデータを収集する。オーダリングＨは、高周波領域ＲＯ２に隣接するビューＶ−５０から、高周波領域ＲＯ１に隣接するビューＶ５１に向かって各ビューのデータを収集するオーダリングである。
【０１１０】
一方、収縮期では、オーダリングＩに従って高周波領域ＲＯ１およびＲＯ２のビューのデータが収集される。オーダリングＩは、高周波領域ＲＯ２のビューＶ−５１から、ビューＶ−１２７に向かって各ビューのデータを収集し、ビューＶ−１２７のデータを収集したら、高周波領域ＲＯ１のビューＶ１２８から低周波領域ＲＣに向かって各ビューのデータを収集するオーダリングである。
【０１１１】
図２５では、低周波領域ＲＣの全てのビューのデータの収集が先に完了しているが、高周波領域ＲＯ１では、まだデータが収集されていないビューが存在している。第４の形態では、高周波領域ＲＯ１には、データが収集されていないデータ未収集領域ａが存在している。第４の形態では、データ未収集領域ａは、ビューＶ５２〜Ｖ１１５を含んでいる。これらのビューのデータは、オーダリングＩとは別のオーダリングＪで収集する。以下に、オーダリングＪについて具体的に説明する。
【０１１２】
オーダリングＪでは、以下のステップＳ１およびＳ２を実行する。
（ステップＳ１）データ未収集領域ａに含まれるビューの中で、低周波領域ＲＣに最も近いビューのデータを収集する。
（ステップＳ２）データ未収集領域ａに含まれるビューの中で、低周波領域ＲＣから最も遠いビューのデータを収集する。
【０１１３】
図２５を参照すると、データ未収集領域ａには、データが収集されていないビューＶ５２〜Ｖ１１５が含まれている。データが収集されていないビューＶ５２〜Ｖ１１５の中で、低周波領域ＲＣに最も近いビューは、ビューＶ５２であり、低周波領域ＲＣから最も遠いビューは、ビューＶ１１５である。したがって、ステップＳ１では、ビューＶ５２のデータが収集され、ステップＳ２では、ビューＶ１１５のデータが収集される。図２６に、データが収集されたビューＶ５２、Ｖ１１５を示す。
【０１１４】
ステップＳ１およびＳ２を実行することにより、ビューＶ５２、Ｖ１１５の順にデータが収集される。尚、図２６を参照すると、高周波領域ＲＯ１には、データが収集されていないデータ未収集領域がまだ存在している。この場合、オーダリングＪは、ステップＳ１およびＳ２を再度実行する。
【０１１５】
データ未収集領域ａには、データが収集されていないビューＶ５３〜Ｖ１１４が含まれている。データが収集されていないビューＶ５３〜Ｖ１１４の中で、低周波領域ＲＣに最も近いビューは、ビューＶ５３であり、低周波領域ＲＣから最も遠いビューは、ビューＶ１１４である。したがって、ステップＳ１では、ビューＶ５３のデータが収集され、ステップＳ２では、ビューＶ１１４のデータが収集される。図２７に、データが収集されたビューＶ５３、Ｖ１１４を示す。
【０１１６】
ビューＶ５３、Ｖ１１４のデータが収集されたら、以下同様に、データ未収集領域ａに含まれているビューＶ５４〜Ｖ１１３のデータが収集されるまで、ステップＳ１およびＳ２が繰り返し実行される。
【０１１７】
尚、上記の例では、ステップＳ１およびＳ２は、ステップＳ１、Ｓ２の順で実行されている。しかし、ステップＳ１およびＳ２が実行されるのであれば、ステップＳ１、Ｓ２の順に限定されることはなく、ステップＳ２、Ｓ１の順でもよい。
【０１１８】
第４の形態では、心電信号（心周期Ｔ）を取得しながら、オーダリングＨ、ＩおよびＪに従ってｋ空間の各ビューのデータが収集される。以下に、各ビューのデータが収集される順序について、図２８を参照しながら説明する。
【０１１９】
図２８は、ｋ空間のビューのデータを収集するときの説明図である。図２８では、１回目〜７回目のシーケンスＳＱによりデータが収集されるビューを示している。
【０１２０】
１回目〜３回目のシーケンスＳＱは収縮期に実行されているので、オーダリングＩに従って高周波領域のビューのデータが収集される。図２８では、１回目〜３回目のシーケンスＳＱで高周波領域ＲＯ２のビューＶ−５１、Ｖ−５２、Ｖ−５３のデータが収集される。また、４回目〜７回目のシーケンスＳＱは拡張期に実行されているので、低周波領域ＲＣのビューのデータが収集される。ここでは、４回目〜７回目のシーケンスＳＱでは、低周波領域ＲＣのビューＶ−５０、Ｖ−４９、Ｖ−４８、Ｖ−４７のデータが収集される。
【０１２１】
以下同様に、拡張期か収縮期かを判断し、収縮期と判断された場合は、オーダリングＩに従って高周波領域ＲＯ１又はＲＯ２のビューのデータを収集し、拡張期と判断された場合は、オーダリングＨに従って低周波領域ＲＣのビューのデータを収集する。したがって、シーケンスＳＱを実行するたびに、ｋ空間の各ビューにデータが次々に配置されていく。
【０１２２】
図２９は、ｐ−４回目〜ｐ回目のシーケンスＳＱによりデータが収集されるビューを示す図である。
【０１２３】
ｐ−４回目のシーケンスＳＱは収縮期に実行されているので、オーダリングＩに従って高周波領域のビューのデータが収集される。ここでは、ｐ−４回目のシーケンスＳＱでは、高周波領域ＲＯ１のビューＶ１１６のデータが収集される。
【０１２４】
また、ｐ−３回目〜ｐ回目のシーケンスＳＱは拡張期に実行されているので、高周波領域のビューのデータが収集される。図２９では、ｐ−３回目〜ｐ回目のシーケンスＳＱで低周波領域ＲＣのビューＶ４８、Ｖ４９、Ｖ５０、Ｖ５１のデータが収集される。ｐ回目のシーケンスＳＱが終了した時点で、低周波領域ＲＣの全てのビューのデータの収集が完了する。
【０１２５】
次に、ｐ＋１回目以降のシーケンスＳＱにより収集されるデータについて説明する。
【０１２６】
図２９を参照すると、低周波領域ＲＣは全てのビューのデータが収集されている。しかし、高周波領域ＲＯ１には、まだデータが収集されていないデータ未収集領域ａが存在している。データ未収集領域ａには、ビューＶ５２〜Ｖ１１５が含まれている。そこで、ｐ＋１回目以降のシーケンスＳＱは、これらのビューＶ５２〜Ｖ１１５のデータを収集するために実行される。これらのビューＶ５２〜Ｖ１１５のデータは、オーダリングＪ（図２６および図２７参照）に従って収集される。
【０１２７】
オーダリングＪでは、先に説明したように、ステップＳ１およびＳ２に従ってデータを収集する。
【０１２８】
第４の形態では、ｐ＋１回目のシーケンスＳＱからオーダリングＪが開始される。したがって、ｐ＋１回目およびｐ＋２回目のシーケンスＳＱを実行するときに、ステップＳ１およびＳ２に従ってデータが収集される。
【０１２９】
ｐ＋１回目のシーケンスＳＱでは、ステップＳ１に従って、データ未収集領域ａに含まれるビューＶ５２〜Ｖ１１５の中で、低周波領域ＲＣに最も近いビューＶ５２のデータを収集する。
ｐ＋２回目のシーケンスＳＱでは、ステップＳ２に従って、データ未収集領域ａに含まれるビューＶ５２〜Ｖ１１５の中で、低周波領域ＲＣから最も遠いビューＶ１１５のデータを収集する。
【０１３０】
図３０に、ｐ＋１回目およびｐ＋２回目のシーケンスＳＱによりデータが収集されたビューＶ５２、Ｖ１１５を示す。尚、高周波領域ＲＯ１には、データが収集されていないビューＶ５３〜Ｖ１１４がまだ含まれている。したがって、ｐ＋３回目以降のシーケンスＳＱでは、高周波領域ＲＯ１の残りのビューＶ５３〜Ｖ１１４のデータが収集されるまで、ステップＳ１およびＳ２が繰り返し実行される。このようにして、ｋ空間の全ビューのデータが収集される。
【０１３１】
第４の形態では、低周波領域ＲＣのビューのデータは、オーダリングＨに従って収集され、一方、高周波領域ＲＯ１およびＲＯ２のビューのデータは、オーダリングＩに従って収集される。したがって、低周波領域ＲＣでは、ビューＶ−５０のデータが最初に収集され、高周波領域では、ビューＶ−５１のデータが最初に収集される。これにより、高周波領域ＲＯ２と低周波領域ＲＣとの境界部分において隣接するビューＶ−５０およびＶ−５１のデータ収集の時間差Δｔ（図２８参照）を心周期Ｔ以下にすることができる。
【０１３２】
また、第４の形態では、高周波領域のビューのデータは、当初は、オーダリングＩに従って収集されるが、低周波領域ＲＣの全ビューのデータが収集された後は、オーダリングＩからオーダリングＪに切り替わる。したがって、低周波領域ＲＣのビューＶ５１のデータが収集されてから、短時間のうちに、高周波領域ＲＣのビューＶ５２のデータが収集されるので、隣接するビューＶ５１およびＶ５２のデータ収集の時間差Δｗ（図３０参照）を心周期Ｔ以下にすることができる。したがって、低周波領域ＲＣと高周波領域ＲＯ１およびＲＯ２との境界部分における信号強度の段差を小さくすることができ、良好な画質の画像データを得ることができる。
【０１３３】
また、高周波領域ＲＯ１のビューＶ５２〜Ｖ１１５のデータをオーダリングＪで収集することにより、オーダリングＩでデータが収集されたビューＶ１１６と、オーダリングＪでデータが収集されたビューＶ１１５とのデータ収集の時間差も小さくすることができる。したがって、高周波領域ＲＯ１内において異なるオーダリングでデータが収集されるビューＶ１１５とＶ１１６との間の信号強度の段差も小さくすることができ、画質を更に向上させることが可能となる。
【０１３４】
（５）第５の形態
第４の形態では、高周波領域ＲＯ１およびＲＯ２の全ビューのデータが収集される前に、低周波領域ＲＣの全ビューのデータが先に収集された例について説明されている。第５の形態では、低周波領域ＲＣの全ビューのデータが収集される前に、高周波領域ＲＯ１およびＲＯ２の全ビューのデータが先に収集される場合のオーダリングについて説明する。尚、ＭＲ装置のハードウェア構成は、第１の形態と同じである。
【０１３５】
図３１は、第５の形態においてｋ空間の各ビューのデータを収集するときのオーダリングの説明図である。オーダリングＨは、低周波領域ＲＣのビューのデータを収集するときのオーダリングを示しており、オーダリングＩは、高周波領域ＲＯ１およびＲＯ２のビューのオーダリングを示している。尚、各オーダリングでデータを収集するときの順番は括弧内に示されている。
【０１３６】
拡張期では、オーダリングＨに従って低周波領域ＲＣのビューのデータを収集する。オーダリングＨは、第４の形態と同様に、高周波領域ＲＯ２に隣接するビューＶ−５０から、高周波領域ＲＯ１に向かって各ビューのデータを収集するオーダリングである。
【０１３７】
一方、収縮期では、オーダリングＩに従って高周波領域ＲＯ１およびＲＯ２のビューのデータが収集される。オーダリングＩは、第４の形態と同様に、高周波領域ＲＯ２のビューＶ−５１から、ビューＶ−１２７に向かって各ビューのデータを収集し、ビューＶ−１２７のデータを収集したら、高周波領域ＲＯ１のビューＶ１２８から低周波領域ＲＣに向かって各ビューのデータを収集するオーダリングである。
【０１３８】
図３１では、高周波領域ＲＯ１およびＲＯ２の全てのビューのデータの収集が先に完了しているが、低周波領域ＲＣでは、まだデータが収集されていないデータ未収集領域ｂが存在している。第５の形態では、データ未収集領域ｂは、ビューＶ１〜Ｖ５１を含んでいる。これらのビューのデータは、オーダリングＨとは別のオーダリングＫで収集する。以下に、オーダリングＫについて具体的に説明する。
【０１３９】
オーダリングＫでは、以下のステップＳ１およびＳ２を実行する。
（ステップＳ１）データ未収集領域ｂに含まれるビューの中で、高周波領域ＲＯ１に最も近いビューのデータを収集する。
（ステップＳ２）データ未収集領域ｂに含まれるビューの中で、高周波領域ＲＯ１から最も遠いビューのデータを収集する。
【０１４０】
図３１を参照すると、データ未収集領域ｂには、データが収集されていないビューＶ１〜Ｖ５１が含まれている。データが収集されていないビューＶ１〜Ｖ５１の中で、高周波領域ＲＯ１に最も近いビューは、ビューＶ５１であり、高周波領域ＲＯ１から最も遠いビューは、ビューＶ１である。したがって、ステップＳ１では、ビューＶ５１のデータが収集され、ステップＳ２では、ビューＶ１のデータが収集される。図３２に、データが収集されたビューＶ５１、Ｖ１を示す。
【０１４１】
ステップＳ１およびＳ２を実行することにより、ビューＶ５１、Ｖ１の順にデータが収集される。尚、図３２を参照すると、低周波領域ＲＣには、データが収集されていないデータ未収集領域ｂがまだ存在している。この場合、オーダリングＫは、ステップＳ１およびＳ２を再度実行する。
【０１４２】
データ未収集領域ｂには、データが収集されていないビューＶ２〜Ｖ５０が含まれている。データが収集されていないビューＶ２〜Ｖ５０の中で、高周波領域ＲＯ１に最も近いビューは、ビューＶ５０であり、高周波領域ＲＯ１から最も遠いビューは、ビューＶ２である。したがって、ステップＳ１では、ビューＶ５０のデータが収集され、ステップＳ２では、ビューＶ２のデータが収集される。図３３に、データが収集されたビューＶ５０、Ｖ２を示す。
【０１４３】
ビューＶ５０、Ｖ２のデータが収集されたら、以下同様に、データ未収集領域ｂに含まれているビューＶ３〜Ｖ４９のデータが収集されるまで、ステップＳ１およびＳ２が繰り返し実行される。
【０１４４】
尚、上記の例では、ステップＳ１およびＳ２は、ステップＳ１、Ｓ２の順で実行されている。しかし、ステップＳ１およびＳ２が実行されるのであれば、ステップＳ１、Ｓ２の順に限定されることはなく、ステップＳ２、Ｓ１の順でもよい。
【０１４５】
第５の形態では、心電信号（心周期Ｔ）を取得しながら、オーダリングＨ、ＩおよびＫに従ってｋ空間の各ビューのデータが収集される。以下に、各ビューのデータが収集される順序について、図３４を参照しながら説明する。
【０１４６】
図３４は、ｋ空間のビューのデータを収集するときの説明図である。図３４では、１回目〜６回目のシーケンスＳＱによりデータが収集されるビューを示している。
【０１４７】
１回目〜３回目のシーケンスＳＱは収縮期に実行されているので、オーダリングＩに従って高周波領域のビューのデータが収集される。図３４では、１回目〜３回目のシーケンスＳＱで高周波領域ＲＯ２のビューＶ−５１、Ｖ−５２、Ｖ−５３のデータが収集される。また、４回目〜６回目のシーケンスＳＱは拡張期に実行されているので、低周波領域ＲＣのビューのデータが収集される。ここでは、４回目〜６回目のシーケンスＳＱでは、低周波領域ＲＣのビューＶ−５０、Ｖ−４９、Ｖ−４８のデータが収集される。
【０１４８】
以下同様に、拡張期か収縮期かを判断し、収縮期と判断された場合は、オーダリングＩに従って高周波領域ＲＯ１又はＲＯ２のビューのデータを収集し、拡張期と判断された場合は、オーダリングＨに従って低周波領域ＲＣのビューのデータを収集する。したがって、シーケンスＳＱを実行するたびに、ｋ空間の各ビューにデータが次々に配置されていく。
【０１４９】
図３５は、ｑ−７回目〜ｑ回目のシーケンスＳＱによりデータが収集されるビューを示す図である。
【０１５０】
ｑ−７回目のシーケンスＳＱは拡張期に実行されているので、オーダリングＨに従って低周波領域ＲＣのビューのデータが収集される。ここでは、ｑ−７回目のシーケンスＳＱでは、低周波領域ＲＣのビューＶ０のデータが収集される。
【０１５１】
また、ｑ−６回目〜ｑ回目のシーケンスＳＱは収縮期に実行されているので、高周波領域のビューのデータが収集される。図３５では、ｑ−６回目〜ｑ回目のシーケンスＳＱで高周波領域ＲＯ１のビューＶ５８、Ｖ５７、Ｖ５６、Ｖ５５、Ｖ５４、Ｖ５３、Ｖ５２のデータが収集される。ｑ回目のシーケンスＳＱが終了した時点で、高周波領域ＲＯ１およびＲＯ２の全てのビューのデータの収集が完了する。
【０１５２】
次に、ｑ＋１回目以降のシーケンスＳＱにより収集されるデータについて説明する。
図３５を参照すると、高周波領域ＲＯ１およびＲＯ２は全てのビューのデータが収集されている。しかし、低周波領域ＲＣには、まだデータが収集されていないデータ未収集領域ｂが存在している。データ未収集領域ｂには、ビューＶ１〜Ｖ５１が含まれている。そこで、ｑ＋１回目以降のシーケンスＳＱは、これらのビューＶ１〜Ｖ５１のデータを収集するために実行される。これらのビューＶ１〜Ｖ５１のデータは、オーダリングＫ（図３２および図３３参照）に従って収集される。
【０１５３】
オーダリングＫでは、先に説明したように、ステップＳ１およびＳ２に従ってデータを収集する。
【０１５４】
第５の形態では、ｑ＋１回目のシーケンスＳＱからオーダリングＫが開始される。したがって、ｑ＋１回目およびｑ＋２回目のシーケンスＳＱを実行するときに、ステップＳ１およびＳ２に従ってデータが収集される。
【０１５５】
ｑ＋１回目のシーケンスＳＱでは、ステップＳ１に従って、データ未収集領域ｂに含まれるビューＶ１〜Ｖ５１の中で、高周波領域ＲＯ１に最も近いビューＶ５１のデータを収集する。
ｑ＋２回目のシーケンスＳＱでは、ステップＳ２に従って、データ未収集領域ｂに含まれるビューＶ１〜Ｖ５１の中で、高周波領域ＲＯ１から最も遠いビューＶ１のデータを収集する。
【０１５６】
図３６に、ｑ＋１回目およびｑ＋２回目のシーケンスＳＱによりデータが収集されたビューＶ５１、Ｖ１を示す。尚、低周波領域ＲＯ１には、データが収集されていないビューＶ２〜Ｖ５０がまだ含まれている。したがって、ｑ＋３回目以降のシーケンスＳＱでは、低周波領域ＲＣの残りのビューＶ２〜Ｖ５０のデータが収集されるまで、ステップＳ１およびＳ２が繰り返し実行される。このようにして、ｋ空間の全ビューのデータが収集される。
【０１５７】
第５の形態では、低周波領域ＲＣのビューのデータは、オーダリングＨに従って収集され、一方、高周波領域ＲＯ１およびＲＯ２のビューのデータは、オーダリングＩに従って収集される。したがって、第４の形態と同様に、高周波領域ＲＯ１と低周波領域ＲＣとの境界部分において隣接するビューＶ−５０およびＶ−５１のデータ収集の時間差Δｔ（図３４参照）を心周期Ｔ以下にすることができる。
【０１５８】
また、第５の形態では、低周波領域のビューのデータは、当初は、オーダリングＨに従って収集されるが、高周波領域ＲＯ１およびＲＯ２の全ビューのデータが収集された後は、オーダリングＨからオーダリングＫに切り替わる。したがって、高周波領域ＲＯ１のビューＶ５２のデータが収集されてから、短時間のうちに、低周波領域ＲＣのビューＶ５１のデータが収集されるので、隣接するビューＶ５１およびＶ５２のデータ収集の時間差Δｗ（図３６参照）を心周期Ｔ以下にすることができる。したがって、低周波領域ＲＣと高周波領域ＲＯ１およびＲＯ２との境界部分における信号強度の段差を小さくすることができ、良好な画質の画像データを得ることができる。
【０１５９】
第１〜第５の形態では、心電信号を取得しながら、スキャンを行っている。しかし、心電信号の代わりに、心周期の情報を得ることができる別の信号（例えば、脈波信号）を取得し、スキャンを行ってもよい。
【０１６０】
第１〜第５の形態では、被検体１４に息止めをしてもらった状態で撮影を行う例について説明されている。しかし、本発明は、被検体１４に自由に呼吸をしてもらった状態で撮影する場合にも適用することができる。尚、自由呼吸下では、肝臓は、心拍動による体動と、呼吸による体動が生じるが、一般的には、心拍動による体動よりも、呼吸による体動が大きいと考えられる。したがって、自由呼吸下で撮影する場合は、被検体１４の呼吸信号を取得し、時間差ΔｔおよびΔｗが呼吸信号の一周期以下になるように、オーダリングを実行すればよい。時間差ΔｔおよびΔｗが呼吸信号の一周期以下になるようにオーダリングを実行することにより、やはり、情報エントロピーを小さくすることができるので、画質を向上させることができる。尚、呼吸信号を取得しながら各ビューのデータを収集する場合は、例えば、被検体１４が息を吐いたときの期間に、低周波領域のビューのデータを収集し、被検体１４が息を吸ったときの期間に、高周波領域のビューのデータを収集すればよい。
【０１６１】
また、第１〜第５の形態では、肝臓を撮影する場合について説明されているが、肝臓に限定されることはなく、呼吸や心拍動により体動する部位を撮影するのであれば、例えば腎臓を撮影する場合にも適用することができる。本発明では、呼吸や心拍動により体動する部位を撮影する場合には、高周波領域と低周波領域の境界部分で隣接するビューのデータ収集の時間差を、呼吸信号や心電信号などの生体信号の一周期以下になるようにオーダリングを実行することにより、画質を向上させることができる。
【０１６２】
尚、第１〜第５の形態では、ｋ空間は２次元（ｋｘ軸およびｋｙ軸）の場合について説明されているが、本発明は、ｋ空間が３次元（ｋｘ軸、ｋｙ軸、およびｋｚ軸）の場合にも適用することができる。ｋ空間が３次元の場合でも、高周波領域と低周波領域の境界部分で隣接するビューのデータ収集の時間差を、呼吸信号や心電信号などの生体信号の一周期以下になるようにオーダリングを実行することにより、画質を向上させることができる。
【符号の説明】
【０１６３】
２  マグネット
３  テーブル
３ａ  クレードル
４  造影剤注入装置
５  受信コイル
６  センサ
７  シーケンサ
８  送信器
９  勾配磁場電源
１０  受信器
１１  制御部
１１ａ  判断手段
１１ｂ  ビュー設定手段
１２  操作部
１３  表示部
１４  被検体
２１  ボア
２２  超伝導コイル
２３  勾配コイル
２４  送信コイル
１００  ＭＲ装置
【図１】
0005922437.tif 000002
【図２】
0005922437.tif 000003
【図３】
0005922437.tif 000004
【図４】
0005922437.tif 000005
【図５】
0005922437.tif 000006
【図６】
0005922437.tif 000007
【図７】
0005922437.tif 000008
【図８】
0005922437.tif 000009
【図９】
0005922437.tif 000010
【図１０】
0005922437.tif 000011
【図１１】
0005922437.tif 000012
【図１２】
0005922437.tif 000013
【図１３】
0005922437.tif 000014
【図１４】
0005922437.tif 000015
【図１５】
0005922437.tif 000016
【図１６】
0005922437.tif 000017
【図１７】
0005922437.tif 000018
【図１８】
0005922437.tif 000019
【図１９】
0005922437.tif 000020
【図２０】
0005922437.tif 000021
【図２１】
0005922437.tif 000022
【図２２】
0005922437.tif 000023
【図２３】
0005922437.tif 000024
【図２４】
0005922437.tif 000025
【図２５】
0005922437.tif 000026
【図２６】
0005922437.tif 000027
【図２７】
0005922437.tif 000028
【図２８】
0005922437.tif 000029
【図２９】
0005922437.tif 000030
【図３０】
0005922437.tif 000031
【図３１】
0005922437.tif 000032
【図３２】
0005922437.tif 000033
【図３３】
0005922437.tif 000034
【図３４】
0005922437.tif 000035
【図３５】
0005922437.tif 000036
【図３６】
0005922437.tif 000037